(57)【要約】      （修正有）【課題】異なる季節および地域に適合でき、空気凝縮水による水濡れおよび損傷を被りにくい放射床暖房および／または冷房システムを提供する。【解決手段】自動調温パイプ、リターンパイプ、複数の３方向バルブ自動調温装置、および３方向バルブ自動調温装置を介して自動調温パイプおよびリターンパイプにそれぞれ接続されている第一および第二の端部を有する放射パイプ３０を有する自動調温配置と、床板、上に凹状の上部補助空洞を規定する上部固定装置４０、および下に凹状の下部補助空洞を規定する下部固定装置５０を有する床とを備えている放射床暖房および／または冷房システム。【選択図】図５
2012052792.tif 000002
【特許請求の範囲】
【請求項１】
温度を調整するための自動調温パイプ（７０）、リターンパイプ（８０）、および、第一の端部および第二の端部を備えている放射パイプ（３０）を有する自動調温配置と、
上部固定装置（４０）および下部固定装置（５０）を有する床板（１０）と、
を備えており、
上記放射パイプ（３０）の上記第一の端部は、上記自動調温パイプ（７０）に接続されており、
上記放射パイプ（３０）の上記第二の端部は、上記リターンパイプ（８０）に接続されており、
上記上部固定装置（４０）は、上記床板（１０）の第一の側面に配置され、上に凹状である上部補助空洞（４１）を規定しており、
上記下部固定装置（５０）は、上記床板（１０）の第二の側面に配置され、下に凹状である下部補助空洞（５１）を規定しており、
上記放射パイプ（３０）は、上記下部補助空洞（５１）において水平に配置されており、
上記床板（１０）の上記上部固定装置（４０）が、隣接する床板（１０）の上記下部固定装置（５０）と噛み合っている場合、上記上部補助空洞（４１）および上記下部補助空洞（５１）は、上記放射パイプ（３０）を受け入れるための受入空洞を一緒に形成しており、２つの隣接する床板の間に上記放射パイプ（３０）を埋め込んでいる、
ことを特徴とする放射床暖房および／または冷房システム。
【請求項２】
上記下部固定装置（５０）の上記下部補助空洞（５１）は、１つ以上の溝または畝（５２）を更に有しており、
上記１つ以上の溝または畝（５２）は、上記放射パイプ（３０）の外壁に生成される空気凝縮水を受けるため、および、上記空気凝縮水を上記床の外部に排出するために、上記放射パイプ（３０）の向きに沿って上記下部補助空洞（５１）の底部に配置されている、
ことを特徴とする請求項１に記載の放射床暖房および／または冷房システム。
【請求項３】
上記１つ以上の溝または畝（５２）は、エネルギーの下方への放射を妨げるように上記放射パイプ（３０）と上記床板の底部との接触領域を減少させる、
ことを特徴とする請求項２に記載の放射床暖房および／または冷房システム。
【請求項４】
上記下部補助空洞（５１）は、上記放射パイプ（３０）の上記外壁に生成される上記空気凝縮水を上記１つ以上の溝または畝（５２）に導くための、上記１つ以上の溝または畝（５２）に接続されているガイド溝（５３）を更に備えている、
ことを特徴とする請求項２または３に記載の放射床暖房および／または冷房システム。
【請求項５】
上記下部固定装置（５０）の上記下部補助空洞（５１）の上記１つ以上の溝または畝（５２）は、上記１つ以上の溝または畝（５２）において空気凝縮水を上記床板（１０）の外部に排出するための１つ以上の排出孔（５４）を有している、
ことを特徴とする請求項２、３、または４に記載の放射床暖房および／または冷房システム。
【請求項６】
上記上部固定装置（４０）、上記下部固定装置（５０）、上記上部補助空洞（４１）、および、上記下部補助空洞（５１）は、上記空気凝縮水による水濡れおよび損傷を防ぐための密封被膜表面を更に含んでいる、
ことを特徴とする請求項１から５の何れかに記載の放射床暖房および／または冷房システム。
【請求項７】
上記床板（１０）は、上記床板（１０）の底部および上記下部固定装置（５０）に配置されている断熱被膜を更に備えている、
ことを特徴とする請求項１から６の何れかに記載の放射床暖房および／または冷房システム。
【請求項８】
上記上部固定装置（４０）の長手方向部分は、Ｆ字を横向きにした形状であり、上記下部固定装置（５０）の長手方向部分は、Ｆ字を横向きにした形状であり、上記床板の上記上部固定装置（４０）と隣接する床板の上記下部固定装置（５０）とは、互いに十分に固定され設置されるように噛み合う、
ことを特徴とする請求項１から７の何れかに記載の放射床暖房および／または冷房システム。
【請求項９】
上記放射パイプ（３０）は、水道管、石油輸送管、または電線から選択されたものである、
ことを特徴とする請求項１から８の何れかに記載の放射床暖房および／または冷房システム。
【請求項１０】
上記下に凹状である下部補助空洞（５１）の上部開口部は、上記下に凹状である下部補助空洞（５１）の下部の内部より小さく、上記放射パイプ（３０）は、上記放射パイプを設置する際に、上記下に凹状である下部補助空洞（５１）の上記下部の内部に埋め込まれ、上記上部開口部は上記放射パイプが上記下部補助空洞から突き出ることを防止する、
ことを特徴とする請求項１から９の何れかに記載の放射床暖房および／または冷房システム。
【請求項１１】
上記自動調温配置は、流量制御コンポーネントを備えている複数の３方向バルブ自動調温装置（４０）を更に備えており、
上記３方向バルブ自動調温装置（４０）は、上記自動調温パイプ（７０）と上記リターンパイプ（８０）との交点に配置されており、上記放射パイプ（３０）は、３方向バルブ自動調温装置（９０）を介して上記自動調温パイプ（１７０）に接続されている第一の端部、および、３方向バルブ自動調温装置（４０）を介して上記リターンパイプ（８０）に接続されている第二の端部を有しており、上記放射パイプ（３０）の上記２つの端部は、放射ループを形成するために、上記３方向バルブ自動調温装置（９０）を介して、それぞれ上記自動調温パイプ（７０）および上記リターンパイプ（８０）に接続されている、
ことを特徴とする請求項１から１０の何れかに記載の放射床暖房および／または冷房システム。
【請求項１２】
請求項１から１１の何れかに記載の放射床暖房および／または冷房システムに用いられる床板（１０）であって、
凹状である上部補助空洞（４１）を規定している、上記床板（１０）の第一の側面に配置されている上部固定装置（４０）と、
凹状である下部補助空洞（５１）を規定している、上記床板（１０）の第二の側面に配置されている下部固定装置（５０）と、
を備えており、
上記上部固定装置（４０）は、隣接する床板（１０）の下部固定装置（５）と噛み合うことができるように配置されており、上記隣接する床板（１０）間にて放射パイプ（３０）を埋め込むための受入空洞を形成する、
ことを特徴とする床板（１０）。
【発明の詳細な説明】
【技術分野】
【０００１】
本発明は、床温度調整システムに関する。より具体的には、放射暖房および/または冷房循環システムに関する。
【背景技術】
【０００２】
近年、放射床暖房の技術は急速に進展している。比較的新しい部屋の温度調整モードとして、放射温度制御の技術が、特に家庭の消費者により非常に健康的で快適な温度調整モードであると見なされている。
【発明の概要】
【発明が解決しようとする課題】
【０００３】
しかしながら、従来の技術には多くの欠点が存在している。特に、空気凝縮水が放射床冷房システムにおいてしばしば出現するため、放射床技術は余りにも簡素であることが先ず挙げられる。すなわち、大多数のシステムは、一つの暖房機能のみに限定されているということである。理論的には、温度差を減少させることにより、空気凝縮水の発生を回避することができるが、課題の実質的な解決には至っていない。実際、今日に至るまでに、床暖房および床冷房に特化するようにデザインされて製造された製品は存在していない。
【０００４】
既知の暖房システムを考慮するとき、現在の建築技術はほぼ一度限りのものであり、多くの安全性欠陥、例えば修繕建築の難しさ、資源の無駄遣い、および、特に断熱材の投棄が原因である環境汚染が潜在的に存在している。また、現在の温度制御システムは、図１に示されているように、技術的に簡素である。典型的に、放射再利用ループは、図１における部材番号７０である"集中化マニホールド"を主に用いているが、この種の結合構造では、パイプの配置に大きな制限が掛かってしまう。支流パイプラインの端の折り返しは、中央回帰型の構造をしており、多くのパイプが必然的にマニホールド領域７０に集中してしまう。多くのパイプが異なる方向を向いていることで、多くの放射パイプが絡まる原因となる。このようにして、全てのパイプが均一に構築されなければならず、部屋のスペースが異なれば、異なるパイプレイアウトのデザインが必要になる。そのため、作業負荷が増大してしまう。小さくて複雑な家族用住宅においては、パイプを敷くのが困難であり、そのため、新しい地下配管の形状が単一のレイアウトおよび改善された作業効率を有ることを保証するために、マニホールドは新しい地下配管の形状に適合するように改善されなければならない。
【課題を解決するための手段】
【０００５】
本発明の１つの目的は、暖房および冷房の効果を成し遂げるための放射床冷暖房システムを提供することにある。すなわち、異なる季節および地域に適合でき、空気凝縮水による水濡れおよび損傷を被りにくい。
【０００６】
本発明の他の目的は、床および床板内部の放射パイプを介して部屋の内部空間にパワーを放射することができ、空気凝縮水が堆積することの課題に取り組むことができる、冷房システムにも適用される放射暖房システムを提供することにある。この課題および暖房システムにおける熱損失の課題は、床のシステムが放射暖房機能および放射冷房機能の両方を有することができるように、床に１つ以上の溝を適合させることにより取り組まれている。
【０００７】
第一の側面において、本発明は、
温度を調整するための自動調温パイプ、リターンパイプ、および、第一の端部および第二の端部を備えている放射パイプを有する自動調温配置と、
上部固定装置および下部固定装置を有する床板と、
を備えており、
上記放射パイプの上記第一の端部は、上記自動調温パイプに接続されており、
上記放射パイプの上記第二の端部は、上記リターンパイプに接続されており、
上記上部固定装置は、上記床板の第一の側面に配置され、上に凹状である上部補助空洞を規定しており、
上記下部固定装置は、上記床板の第二の側面に配置され、下に凹状である下部補助空洞を規定しており、
上記放射パイプは、上記下部補助空洞において水平に配置されており、
上記床板の上記上部固定装置が、隣接する床板の上記下部固定装置と噛み合っている場合、上記上部補助空洞および上記下部補助空洞は、上記放射パイプを受け入れるための受入空洞を一緒に形成しており、こうして２つの隣接する床板の間に上記放射パイプを埋め込んでいる、
ことを特徴とする放射床暖房および／または冷房システムを提供する。
【０００８】
これにより、放射パイプが地面に直接接触することが回避され、エネルギーロスが低減される。
【０００９】
上記下部固定装置の上記下部補助空洞は、１つ以上の溝または畝を更に有しており、上記１つ以上の溝または畝は、上記放射パイプの外壁に生成される空気凝縮水を受けるため、および、上記空気凝縮水を上記床の外部に排出するために、上記放射パイプの向きに沿って上記下部補助空洞の底部に配置されていることが好ましい。
【００１０】
上述の構造によれば、放射パイプが放射するエネルギーが、床の温度を効率良く調整するために実質的に用いられ、組立効率が増大し、分解修理をするのが容易である。
【００１１】
上記１つ以上の溝または畝は、エネルギーの下方への放射を妨げるように上記放射パイプと上記床板の底部との接触領域を減少させることが好ましい。
【００１２】
上記下部固定装置の上記下部補助空洞の上記１つ以上の溝または畝は、上記１つ以上の溝または畝において空気凝縮水を上記床板の外部に排出するための１つ以上の排出孔を有していることが好ましい。
【００１３】
上記下部固定装置の上記下部補助空洞の上記１つ以上の溝または畝は、上記１つ以上の溝または畝において空気凝縮水を上記床板の外部に排出するための１つ以上の排出孔を有していることが好ましい。
【００１４】
上記上部固定装置、上記下部固定装置、上記上部補助空洞、および、上記下部補助空洞は、上記空気凝縮水による水濡れおよび損傷を防ぐための密封被膜表面を更に含んでいることが好ましい。
【００１５】
上記床板は、上記床板の底部および上記下部固定装置に配置されている断熱被膜を更に備えていることが好ましい。
【００１６】
上記上部固定装置の長手方向部分は、Ｆ字を横向きにした形状であり、上記下部固定装置の長手方向部分は、Ｆ字を横向きにした形状であり、上記床板の上記上部固定装置と隣接する床板の上記下部固定装置とは、互いに十分に固定され設置されるように噛み合うことが好ましい。
【００１７】
本発明において、２つの隣接する床が結合する際、Ｆ字形状の上部固定装置は、Ｆ字形状の下部固定装置と噛み合う。これにより、組立および解体が行い易い。
【００１８】
上記放射パイプは、水道管、石油輸送管、または電線から選択されたものであることが好ましい。
【００１９】
上記下に凹状である下部補助空洞の上部開口部は、上記下に凹状である下部補助空洞の下部の内部より小さく、上記放射パイプは、上記放射パイプ設置する際に、上記下に凹状である下部補助空洞の上記下部の内部に埋め込まれ、上記上部開口部は上記放射パイプが上記下部補助空洞から突き出ることを防止することが好ましい。これにより、上記システムは、たった一人の作業員により取り付けられることが可能になる。
【００２０】
上記自動調温配置は、流量制御コンポーネントを備えている複数の３方向バルブ自動調温装置を更に備えており、上記３方向バルブ自動調温装置は、上記自動調温パイプと上記リターンパイプとの交点に配置されており、上記放射パイプは、３方向バルブ自動調温装置を介して上記自動調温パイプに接続されている第一の端部、および、３方向バルブ自動調温装置を介して上記リターンパイプに接続されている第二の端部を有しており、上記放射パイプの上記２つの端部は、放射ループを形成するために、上記３方向バルブ自動調温装置を介して、それぞれ上記自動調温パイプおよび上記リターンパイプに接続されていることが好ましい。
【００２１】
他の側面において、本発明は、
凹状である上部補助空洞を規定している、上記床板の第一の側面に配置されている上部固定装置と、
凹状である下部補助空洞を規定している、上記床板の第二の側面に配置されている下部固定装置と、
を備えており、
上記上部固定装置は、隣接する床板の下部固定装置と噛み合うことができるように配置されており、上記隣接する床板間にて放射パイプを埋め込むための受入空洞を形成する、
ことを特徴とする床板を提供する。
【発明の効果】
【００２２】
本発明は、完成品を組み立てるという形態を採用する放射床冷暖房システムを提供する。このため、作業効率改善され、労働集約度は減少し、多くの作業時間とコストが抑えられる。不正確な取付手順が原因による違いはなくなり、品質は統一された有効な予防手段にふさわしい。また、床は、建築的なデザインおよび資源の再利用という点において良い、解体およびリサイクルをすることができる。これにより、投棄される建築資材が減少する。そして、解体して埋めることが原因の環境問題も解決することができ、環境、水、土壌は汚染されず、荒れ果てることはない。技術面において、サイト運営が完成品に発展するという目的が成し遂げられる。
【００２３】
本発明は、出力点および折返し点を自由に配置できる技術を含む放射床冷暖房システムをも提供する。この技術は、自動調温パイプおよびリターンパイプに２つ以上の３方向バルブを配置することを通して達成され得る。これにより、放射パイプが配分パイプに集中的に接続されない上に、放射パイプの各々が独立したものとなる。本システムは、優秀な動作論理を提供し、フォローアップシステムに柔軟性を提供するものである。それは、家庭用または商業用の暖房システムの取付にとっては非常に適切なものであり、以下のように効果を達成することができる。第一に、「折返し」点は、自由に配置されることが可能であり、多数の回帰パイプラインは不要である。これにより、多数のパイプが集中してしまい、ある部分が熱過ぎたり冷た過ぎたりすることを防止できる上に、終端パイプのレイアウトを変更し易い。第二に、パイプのレイアウトは整然とたものであり、大きさは低減され、システムをデザインする難しさが減少する。バランスを考慮する必要および大型の機械的なパーツを使用する必要はない。第三に、業務分割の開発を促進することができ、冷暖房システムの技術を改善することができる本独立システムは、高度なプレハブを有している。
【００２４】
本発明のこれらのおよび他の目的、特徴、および利点は、以下の詳細な記述、添付の図面、および付属の請求項から明白になるであろう。
【図面の簡単な説明】
【００２５】
【図１】全ての放射パイプ（３０）が自動調温パイプ（７０）に集中して接続されている先行技術に係る放射床冷暖房システムの自動調温配置の概略図である。
【図２】本発明の好適な実施形態に係る自動調温配置の概略図である。
【図３】本発明の好適な実施形態に係る自動調温配置の取付概略図である。
【図４】本発明の好適な実施形態に係る自動調温配置の取付上面図である。
【図５】本発明の好適な実施形態の自動調温配置に係る取付概略図である。
【図６】本発明の好適な実施形態に係る自動調温配置の部分的断面図である。
【図７】本発明の好適な実施形態に係る自動調温配置の側面図である。
【発明を実施するための形態】
【００２６】
図２〜図７を参照すると、本発明の好適な実施形態に係る放射床暖房および／または冷房システムが取り付けられており、放射床暖房および／または冷房システムは、自動調温配置および床を備えている。
【００２７】
自動調温配置は、温度を調節するための自動調温パイプ７０、リターンパイプ８０、および、第一の端部および第二の端部を有する放射パイプ３０を備えており、放射パイプ３０の第一の端部は自動調温パイプ７０に接続されており、放射パイプ３０の第二の端部はリターンパイプ８０に接続されている。
【００２８】
床は、床板１０、床板１０の第一の側面に配置されている、上に凹状である上部補助空洞４１を規定する上部固定装置４０、および、床板１０の第二の側面に配置されている、下に凹状である下部補助空洞５１を規定する下部固定装置５０を備えており、放射パイプ３０は、下部補助空洞５１において水平に配置されている。これにより、床板の上部固定装置４０が、隣接する床板の下部固定装置５０と噛み合う場合、上部補助空洞４１と下部補助空洞５１とが、放射パイプ３０を受け入れる受入空洞を形成するように適合する。こうして、放射パイプ３０は、床の温度を効率良く調整するため、および、エネルギーロスを防ぐための、放射パイプ３０が放射するエネルギーを最大限に利用するように、２つの隣接する床板に埋め込まれる。
【００２９】
上部固定装置４０は、上に凹状であることが好ましく、上部固定装置４０の長手方向部分はＦ字を横向きおよび上向きにさせた形状である。下部固定装置５０は、下に凹状であることが好ましく、下部固定装置５０の長手方向部分はＦ字を横向きおよび下向きにさせた形状である。これにより、床板の上部固定装置４０および隣接する床板の下部固定装置５０は、床を取り付ける際にしっかりと固定して設置されるように噛み合う。
【００３０】
上部補助空洞４１および下部補助空洞５１は、キャンバー状、矩形状、台形状、および他の凹の形状として具現化されてもよい。
【００３１】
本発明の好適な実施形態によれば、下に凹状である下部補助空洞５１は、その下部の内部よりも小さな上部開口部を有している。これにより、放射パイプ３０は、放射パイプ３０を取り付ける際に下に凹状である下部補助空洞５１の下部の内部に埋め込まれ、上部開口部により、放射パイプ３０が下部補助空洞５１から上に突き出ることを防ぐことができる。そのため、たった１人だけで、全てのコンポーネントを取り扱うことができる。
【００３２】
本発明は、暖房および冷房の両方を提供することができる。冷房を提供する場合、空気中の水蒸気から放射パイプ３０上に液化し、床板１０の内部に堆積し、床を損傷させる空気凝縮水を防ぐために、下部固定装置５０は、１つ以上の溝５２または畝を更に有している。溝５２または畝は、自動調温パイプ７０が冷房をする際に放射パイプ３０の外壁に生成される空気凝縮水を受けるため、および、床の外部に空気凝縮水を排出するために、放射パイプ３０の向きに沿って下部補助空洞５１の底部に配置されることが好ましい。溝５２または畝は、温度を遮断するために用いられることもまた好ましい。これにより、エネルギーは下方に放射しない。そのため、従来技術の断熱素材は、空気間隙構造に取り替えられる。
【００３３】
また、下部固定装置５０は、自動調温パイプ７０が溝５２を冷却する際に放射パイプ３０の外壁に生成される空気凝縮水をガイドするために、下部補助空洞５１に提供された、放射パイプ３０に沿って平行に延伸している複数のガイド溝５３を有することが好ましい。下部固定装置５０は、溝５２の底部に提供された少なくとも１つの排出孔５４を有することもまた好ましい。
【００３４】
また、固定装置４０、下部固定装置５０、上部補助空洞４１、および、下部補助空洞５１の各々は、床板が空気凝縮水により水濡れし損傷すること防ぐために用いられる密閉被膜表面を更に備えている。
【００３５】
当業者は、放射パイプ３０として多種の伝送媒体を選択することができる。例えば、放射パイプ３０は、水道管、石油輸送管、または電線として具現化されてもよい。
【００３６】
また、床は、床板１０の底部および下部固定装置５０の真下に配置される断熱被膜６０を更に備えていることが好ましい。これにより、エネルギーは簡単に床板および外壁に伝わらず、熱損失を低減させる。
【００３７】
自動調温配置は、流量を制御する流量制御コンポーネント９１をそれぞれ備えている複数の３方向バルブ自動調温装置９０を任意に備えている。放射パイプ３０は、３方向バルブ自動調温装置９０を介して自動調温パイプ７０に接続されることが好ましい。それにより、放射パイプ３０はマニホールドに１点だけで接続することを防ぎ、集約パイプは出現しない。それ故に、ある部分が熱過ぎたり冷た過ぎたりという現象は起こらず、配管のレイアウトは複雑ではない。３方向バルブ自動調温装置９０は、壁面埋め込みタイプに属する温度制御システムに適合するように小型な形状であることが好ましい。
【００３８】
上述の構造を用いれば、本発明は、特に新築住宅の建築に適用される。住宅の数箇所において自動調温パイプ７０およびリターンパイプ８０を予め組み立てておき、放射パイプ３０により接続および調整の作業が終了する。これにより、住宅の暖房および／または冷房のレベルは改善される。
【００３９】
本発明の機能的かつ構造的な原理を説明するために、本発明の実施形態は示され記述されており、本発明の実施形態はこれらの原理の範疇から逸脱することなく変形できるものとする。それ故に、本発明は、以下の請求項の範疇に含まれた全ての変更を含んでいる。
【図１】
2012052792.tif 000003
【図２】
2012052792.tif 000004
【図３】
2012052792.tif 000005
【図４】
2012052792.tif 000006
【図５】
2012052792.tif 000007
【図６】
2012052792.tif 000008
【図７】
2012052792.tif 000009